(57)【要約】【課題】全体が簡素な構成を維持しつつ、複数のフィルタ素子相互間の特性ばらつきを無くしたノイズフィルタアレイを提供する。【解決手段】コイルとコンデンサを有するＬＣ並列共振回路およびＬＣ直列共振回路からなるフィルタ素子Ｆ１〜Ｆ４をアレイ状に並設して一体形成するとともに、各フィルタ素子Ｆ１〜Ｆ４を構成する接地用のコンデンサＣ１２〜Ｃ４２を、その接地側電極９を各信号側電極８に対して共通に対向して配置するとともに、当該コンデンサとでＬＣ直列共振回路を構成するインダクタンス調整用導体Ｌ０に対してビアホール７を介して接続し、かつ、インダクタンス調整用導体Ｌ０のビアホール７の接続位置から接地端子ＧＮＤ１，ＧＮＤ２に至るまでの長さを、各フィルタ素子Ｆ１〜Ｆ４について等しくなるようにする。【選択図】図２
2008035122.tif 000002
【特許請求の範囲】
【請求項１】
コイルとコンデンサとを有するＬＣ並列共振回路およびＬＣ直列共振回路からなるフィルタ素子が、複数個アレイ状に並設されて一体形成されてなるノイズフィルタアレイであって、
各フィルタ素子の前記ＬＣ直列共振回路を構成する接地用のコンデンサの信号側電極に対して、１つの前記接地用のコンデンサの接地側電極が共通に対向して配置され、前記接地側電極は、前記接地用のコンデンサとで前記ＬＣ直列共振回路を構成するインダクタンス調整用導体に対してビアホールを介して接続されており、かつ、
前記インダクタンス調整用導体と前記ビアホールとの接続位置から接地端子に至るまでの長さが、前記各フィルタ素子について等しくなるように構成されていること
を特徴とするノイズフィルタアレイ。
【請求項２】
コイルとコンデンサとを有するＬＣ並列共振回路およびＬＣ直列共振回路からなるフィルタ素子が、複数個アレイ状に並設されて一体形成されてなるノイズフィルタアレイであって、
２つのフィルタ素子の前記ＬＣ直列共振回路を構成する接地用のコンデンサの信号側電極に対して、１つの前記接地用のコンデンサの接地側電極が共通に対向して配置され、前記接地側電極は、前記接地用のコンデンサとで前記ＬＣ直列共振回路を構成するインダクタンス調整用導体に対してビアホールを介して接続されており、かつ、
前記インダクタンス調整用導体と前記ビアホールとの接続位置から接地端子に至るまでの長さが、前記各フィルタ素子について等しくなるように構成され、かつ、前記フィルタ素子が、前記インダクタンス調整用導体を境としてその積層方向の両側に２素子ずつ配置されていること
を特徴とするノイズフィルタアレイ。
【請求項３】
前記インダクタンス調整用導体が、ミアンダ状または線状の導体であり、点対称あるいは線対称に形成されていることを特徴とする請求項１または２記載のノイズフィルタアレイ。
【請求項４】
前記インダクタンス調整用導体と前記ビアホールとの接続点が、前記各接地端子が点対称または線対称となる中心位置にあることを特徴とする請求項３記載のノイズフィルタアレイ。
【請求項５】
前記接地端子が点対称または線対称の位置に形成されているとともに、前記ビアホールが複数形成され、前記インダクタンス調整用導体と各ビアホールとの接続点が、前記各接地端子が点対称または線対称となる中心位置から等距離だけ離れた位置にあることを特徴とする請求項３記載のノイズフィルタアレイ。
【請求項６】
積層構造を有し、前記各フィルタ素子が、前記インダクタンス調整用導体を境としてその積層方向の片側にのみ設けられていることを特徴とする請求項１記載のノイズフィルタアレイ。
【請求項７】
前記各フィルタ素子が４素子、互いに並列に配置されていることを特徴とする請求項６記載のノイズフィルタアレイ。
【請求項８】
前記ＬＣ並列共振回路および前記ＬＣ直列共振回路を構成するコイル形成用の導体が、厚み方向に互いに重複しないように位置をずらして形成されていることを特徴とする請求項１〜７のいずれかに記載のノイズフィルタアレイ。
【請求項９】
前記ＬＣ直列共振回路を構成する前記接地用のコンデンサの各信号側電極側にもインダクタンス調整用導体が設けられていることを特徴とする請求項１〜８のいずれかに記載のノイズフィルタアレイ。
【発明の詳細な説明】
【技術分野】
【０００１】
本願発明は、コイルとコンデンサを有するＬＣ並列共振回路およびＬＣ直列共振回路からなるフィルタ素子の複数個が、アレイ状に配設されて一体形成されてなるノイズフィルタアレイに関する。
【背景技術】
【０００２】
例えば、携帯電話には、各種の通信方式（ＧＳＭ方式、ＤＣＳ方式、ＰＣＳ方式等）が存在する。そして、これらの通信方式に使用される各通信帯域での受信感度劣化を防止するためには、各通信帯域でノイズを有効に除去することが必要となる。
【０００３】
一例として、９００ＭＨｚ付近や１．８ＧＨｚ付近の各通信帯域のノイズ除去を行う上では、ノイズフィルタには広い帯域に渡って減衰が得られることが要求される。このような広い減衰特性を持つフィルタを構成するには、接地されるコンデンサにインダクタンスを付与して、２共振性のフィルタを構成することが考えられる。
【０００４】
そこで、従来技術では、図１３に示すように、信号ラインに設けたコイルＬ１に並列に浮遊容量Ｃ１が形成されてなるＬＣ並列共振回路ＰＲと、信号ラインと接地間にコンデンサＣ２とコイルＬ２とを直列接続したＬＣ直列共振回路ＳＲとを備えた２共振性のフィルタ素子が提案されている（例えば、特許文献１参照）。
【０００５】
このような従来の２共振性のフィルタ素子を複数個配置し、これらのフィルタ素子どうしを一体形成してノイズフィルタアレイを構成したとすると、例えば、図１４に示すような等価回路を有するアレイ構造となる。なお、ここでは一例として４つのフィルタ素子を設けた場合を示している。
【０００６】
図１４に示すアレイ構造において、図中破線で囲んだＬＣ直列共振回路の部分はいずれも接地されることから、さらに構造を簡素化するために、各ＬＣ直列共振回路に含まれるコイルを共通化することが考えられる。そして、その場合、例えば、図１５に示すような構成となる。
【０００７】
すなわち、この図１５に示すノイズフィルタアレイは、各フィルタ素子のＬＣ直列共振回路を構成するコンデンサＣ１２〜Ｃ４２の信号側電極が各フィルタ素子ごとに個別に設けられる一方、これらの各コンデンサＣ１２〜Ｃ４２の接地側電極にインダクタンスコイルとしての役目を果たす導体Ｌ０が共通に接続されているため、構造が簡素化されるという特徴を有している。
【０００８】
しかし、図１５に示すような構造を有するノイズフィルタアレイは、全体構造を簡素化することはできるものの、各フィルタ素子Ｆ１〜Ｆ４のコンデンサＣ１２〜Ｃ４２から導体Ｌ０を経由して接地端子ＧＮＤに至るまでの距離がそれぞれ異なるため（例えば、コンデンサＣ１２から接地端子ＧＮＤまでの距離と、コンデンサＣ２２から接地端子ＧＮＤまでの距離とが異なる）、各フィルタ素子Ｆ１〜Ｆ４ごとにインダクタンス値が異なった値となり、結果として、各フィルタ素子Ｆ１〜Ｆ４間でフィルタ特性にばらつきを生じるという問題点がある。
【特許文献１】特開平９−２６６４３０号公報
【発明の開示】
【発明が解決しようとする課題】
【０００９】
本願発明は、上記の課題を解決するためになされたもので、全体が簡素な構成であるとともに、複数のフィルタ素子相互間の特性ばらつきを無くしたノイズフィルタアレイを提供することを目的とする。
【課題を解決するための手段】
【００１０】
上記の目的を達成するために、本願請求項１のノイズフィルタアレイは、
コイルとコンデンサとを有するＬＣ並列共振回路およびＬＣ直列共振回路からなるフィルタ素子が、複数個アレイ状に並設されて一体形成されてなるノイズフィルタアレイであって、
各フィルタ素子の前記ＬＣ直列共振回路を構成する接地用のコンデンサの信号側電極に対して、１つの前記接地用のコンデンサの接地側電極が共通に対向して配置され、前記接地側電極は、前記接地用のコンデンサとで前記ＬＣ直列共振回路を構成するインダクタンス調整用導体に対してビアホールを介して接続されており、かつ、
前記インダクタンス調整用導体と前記ビアホールとの接続位置から接地端子に至るまでの長さが、前記各フィルタ素子について等しくなるように構成されていること
を特徴としている。
【００１１】
また、請求項２のノイズフィルタアレイは、
コイルとコンデンサとを有するＬＣ並列共振回路およびＬＣ直列共振回路からなるフィルタ素子が、複数個アレイ状に並設されて一体形成されてなるノイズフィルタアレイであって、
２つのフィルタ素子の前記ＬＣ直列共振回路を構成する接地用のコンデンサの信号側電極に対して、１つの前記接地用のコンデンサの接地側電極が共通に対向して配置され、前記接地側電極は、前記接地用のコンデンサとで前記ＬＣ直列共振回路を構成するインダクタンス調整用導体に対してビアホールを介して接続されており、かつ、
前記インダクタンス調整用導体と前記ビアホールとの接続位置から接地端子に至るまでの長さが、前記各フィルタ素子について等しくなるように構成され、かつ、前記フィルタ素子が、前記インダクタンス調整用導体を境としてその積層方向の両側に２素子ずつ配置されていること
を特徴としている。
【００１２】
また、請求項３のノイズフィルタアレイは、前記インダクタンス調整用導体が、ミアンダ状または線状の導体であり、点対称あるいは線対称に形成されていることを特徴としている。
【００１３】
また、請求項４のノイズフィルタアレイは、前記インダクタンス調整用導体と前記ビアホールとの接続点が、前記各接地端子が点対称または線対称となる中心位置にあることを特徴としている。
【００１４】
また、請求項５のノイズフィルタアレイは、前記接地端子が点対称または線対称の位置に形成されているとともに、前記ビアホールが複数形成され、前記インダクタンス調整用導体と各ビアホールとの接続点が、前記各接地端子が点対称または線対称となる中心位置から等距離だけ離れた位置にあることを特徴としている。
【００１５】
また、請求項６のノイズフィルタアレイは、積層構造を有し、前記各フィルタ素子が、前記インダクタンス調整用導体を境としてその積層方向の片側にのみ設けられていることを特徴としている。
【００１６】
また、請求項７のノイズフィルタアレイは、前記各フィルタ素子が４素子、互いに並列に配置されていることを特徴としている。
【００１７】
また、請求項８のノイズフィルタアレイは、前記ＬＣ並列共振回路および前記ＬＣ直列共振回路を構成するコイル形成用の導体が、厚み方向に互いに重複しないように位置をずらして形成されていることを特徴としている。
【００１８】
また、請求項９のノイズフィルタアレイは、前記ＬＣ直列共振回路を構成する前記接地用のコンデンサの各信号側電極側にもインダクタンス調整用導体が設けられていることを特徴としている。
【発明の効果】
【００１９】
本願請求項１の発明によれば、コイルとコンデンサを有するＬＣ並列共振回路およびＬＣ直列共振回路の複数個が一体形成されてなるノイズフィルタアレイを、特に複雑な構成を必要とすることなく、容易に実現することができる。また、各フィルタ素子がＬＣ並列共振回路とＬＣ直列共振回路とからなり、ＬＣ直列共振回路が接地用のコンデンサとインダクタンス調整用導体とで構成されているので、２共振性のフィルタ素子を複数備えたノイズフィルタアレイを容易に形成することができる。
しかも、互いに並設された各フィルタ素子を構成する接地用のコンデンサの接地側電極がインダクタンス調整用導体にビアホールを介して接続され、かつ、このインダクタンス調整用導体のビアホールの接続位置から接地端子に至るまでの長さが各フィルタ素子について等しくなるように構成されているので、各フィルタ素子間のインダクタンス値のばらつきを低減することが可能になる。
【００２０】
また、請求項２の発明の場合、２つのフィルタ素子がインダクタンス調整用導体を境としてその積層方向の両側に設けられているので、両側のフィルタ素子間の磁気的影響を少なくすることが可能になるとともに、互いに並列して隣接する各フィルタ素子のコイルに発生する磁束分布を略等しくすることが可能になり、各フィルタ素子間のインダクタンス値のばらつきを一層低減することができる。
また、４つのフィルタ素子を備えたノイズフィルタアレイを効率よく構成することができる。
【００２１】
また、請求項３のノイズフィルタアレイは、インダクタンス調整用導体が、ミアンダ状または線状の導体で、点対称あるいは線対称に形成されているので、各フィルタ素子間のインダクタンス値のばらつきを低減する上で有効なだけでなく、インダクタンス調整用導体をめっきにより形成する場合における、導体形成時のめっき厚さのばらつきを小さく抑えることが可能になり、コストの削減を図ることができる。
【００２２】
また、請求項４のノイズフィルタアレイのように、インダクタンス調整用導体とビアホールとの接続点を、各接地端子が点対称または線対称となる中心位置にあるようにした場合、各フィルタ素子間のインダクタンス値のばらつきを低減する上で有効なだけでなく、ビアホールは一つで済むことから、コストの削減を図ることが可能になるとともに、また共振性周波数の調整を容易にすることが可能になる。
【００２３】
また、必要に応じてビアホールを複数形成することも可能である。この場合にも、請求項５記載の発明のノイズフィルタアレイの構成を採用することにより、各フィルタ素子間のインダクタンス値のばらつきを低減することが可能になる。
【００２４】
また、請求項６のノイズフィルタアレイのように、複数の各フィルタ素子を、インダクタンス調整用導体を境としてその積層方向の片側にのみ設けるようにした場合、部品の厚みを薄くして、小型化を図ることができる。
【００２５】
また、請求項７のノイズフィルタアレイのように、フィルタ素子を４素子、互いに並列に配置することにより、フィルタ素子を４素子備えたノイズフィルタアレイを構成することができる。
【００２６】
また、請求項８のノイズフィルタアレイは、ＬＣ並列共振回路およびＬＣ直列共振回路を構成するコイル形成用の導体が、厚み方向に互いに重複しないように位置をずらして形成されているので、部品の厚み方向の厚さが均一化される結果、製造時の内部応力が緩和され、互いに隣接する層のコイル形成用の導体間でクラックが発生することを抑制、防止して、製品の歩留まりを向上させることが可能になる。
【００２７】
また、請求項９のノイズフィルタアレイは、ＬＣ直列共振回路を構成する接地用のコンデンサの各信号側電極側にもインダクタンス調整用導体が配置されているので、各フィルタ素子のＬＣ直列共振回路のインダクタンス値を大きく設定することが可能になり、当該共振回路をより低周波化することができる。また、個々のフィルタ素子のインダクタンス値を個別に設定することも可能になる。
【発明を実施するための最良の形態】
【００２８】
以下、本願発明の実施例を示して、その特徴とするところをさらに詳しく説明する。
【実施例１】
【００２９】
図１は本願発明の実施例１にかかるノイズフィルタアレイの外観を示す斜視図、図２は該ノイズフィルタアレイの分解斜視図、図３は該ノイズフィルタアレイの電気等価回路図、図４は図３の電気等価回路図を図２の分解斜視図に対応するように配置し直して示す電気等価回路図である。
以下、図１〜４を参照しつつ、実施例１のノイズフィルタアレイについて説明する。
【００３０】
この実施例１のノイズフィルタアレイは、チタン酸バリウム等のセラミック誘電体材料やフェライトなどのセラミック磁性体材料からなる四角形状の絶縁シートを積層して一体的に焼成してなる直方体状の積層体１を備えている。そして、この積層体１の周側面には、端子形成用の外部電極２が形成されており、長辺側の前後の側面に配設された外部電極２は、信号の入力端子ｉｎ１〜ｉｎ４と出力端子ｏｕｔ１〜ｏｕｔ４として形成されている。また、短辺側の左右の側面の外部電極２は、接地端子ＧＮＤ１，ＧＮＤ２として形成されている。
さらに、積層体１の上面には、中央から少し偏位した位置に、方向性識別マーク３が形成されている。
【００３１】
また、積層体１内には、上記の４つの入力端子ｉｎ１〜ｉｎ４と、出力端子ｏｕｔ１〜ｏｕｔ４に対応して、４素子分の２共振性のフィルタ素子Ｆ１〜Ｆ４が一体に形成されている。なお、フィルタ素子Ｆ１〜Ｆ４は、後述するインダクタンス調整用導体Ｌ０を挟んで部品の厚み方向（積層方向）両側に２素子分ずつ配置されている。すなわち、インダクタンス調整用導体Ｌ０よりも上方には２つのフィルタ素子Ｆ２，Ｆ３が厚み方向に直交する方向に並設され、また、インダクタンス調整用導体Ｌ０よりも下方には２つのフィルタ素子Ｆ１，Ｆ４が厚み方向に直交する方向に並設されている。
【００３２】
各フィルタ素子Ｆ１〜Ｆ４は、ＬＣ並列共振回路ＰＲ１〜ＰＦ４と、接地用のコンデンサＣ１２〜Ｃ４２と、およびインダクタンスコイルとしての役目を果たす一つのインダクタンス調整用導体Ｌ０とを備えている（図４）。そして、接地用のコンデンサＣ１２〜Ｃ４２、および各コンデンサＣ１２〜Ｃ４２に共通する一つのインダクタンス調整用導体Ｌ０により、各フィルタ素子Ｆ１〜Ｆ４のＬＣ直列共振回路が構成されている。
【００３３】
上記のＬＣ並列共振回路ＰＲ１〜ＰＲ４は、図２に示すように、スパイラル状のコイル導体５が形成された各絶縁シート６の複数枚を積層するとともに、各層のコイル導体５を、ビアホール７を介して電気的に接続することにより螺旋状に形成されたコイルＬ１１〜Ｌ４１と、このコイル形成に伴って必然的に生じる浮遊容量に起因する浮遊コンデンサＣ１１〜Ｃ４１とから形成されている。そして、各コイルＬ１１〜Ｌ４１を形成するコイル導体５の一端側が、入力端子ｉｎ１〜ｉｎ４を構成する外部電極２にそれぞれ接続され、他端側が積層体１の出力端子ｏｕｔ１〜ｏｕｔ４を形成する外部電極２にそれぞれ接続されている。
【００３４】
なお、ＬＣ並列共振回路ＰＲ１〜ＰＲ４の、各コイルＬ１１〜Ｌ４１を形成するための各コイル導体５は、厚み方向に互いに重複しないように位置をずらして形成されている。これにより、積層体１の厚み方向の厚さが均一化される結果、積層体１を製造する際の内部応力が緩和され、互いに隣接する層のコイル導体５間でクラックが発生することを抑制することが可能になり、製品の歩留まりを向上させることができる。
【００３５】
一方、各ＬＣ直列共振回路を構成する接地用のコンデンサＣ１２〜Ｃ４２は、各絶縁シート６上に形成された信号側電極８と、接地側電極９とを、当該絶縁シート６を介して互いに対向するように配置することにより形成されており、信号側電極８は、並列共振回路ＰＲ１〜ＰＲ４に個別に対応して設けられる一方、接地側電極９は互いに並置された２つの信号側電極８に対して共通に対向して配置されている。
【００３６】
そして、信号側電極８の一端は、絶縁シート６の奥側の一端部に引き出され、出力端子ｏｕｔ１〜ｏｕｔ４を形成する外部電極２にそれぞれ接続されている。また、接地側電極９は、ビアホール７を介してインダクタンス調整用導体Ｌ０に電気的に接続されている。
【００３７】
また、インダクタンス調整用導体Ｌ０は、ミアンダ状の形状を有し、点対称形状に形成されている。そして、このインダクタンス調整用導体Ｌ０は、絶縁シート６の左右の端部に引き出され、各接地端子ＧＮＤ１，ＧＮＤ２を形成する外部電極２に接続されている。なお、この実施例１のノイズフィルタアレイにおいては、インダクタンス調整用導体Ｌ０の、ビアホール７との接続位置から接地端子ＧＮＤ１，ＧＮＤ２に至るまでの長さが、各フィルタ素子Ｆ１〜Ｆ４について等しくなるように構成されている。すなわち、この実施例１では、このインダクタンス調整用導体Ｌ０のビアホール７との接続点は、各接地端子ＧＮＤ１，ＧＮＤ２が点対称となるときの中心位置になっている。
【００３８】
このように、この実施例１では、互いに並置されているコンデンサＣ２２とＣ３２の接地側電極８および、コンデンサＣ１２とＣ４２の接地側電極８が共通し、その共通する接地側電極８が、ビアホール７を介してインダクタンス調整用導体Ｌ０に接続され、その接続点が、各接地端子ＧＮＤ１，ＧＮＤ２が点対称となるときの中心位置になっているので、互いに並列する素子Ｆ２，Ｆ３のコンデンサＣ２２，Ｃ３２から各接地端子ＧＮＤ１，ＧＮＤ２までの距離、および互いに並列する素子Ｆ１，Ｆ４のコンデンサＣ１２，Ｃ４２から各接地端子ＧＮＤ１，ＧＮＤ２までの距離がいずれも等しくなる。このため、各フィルタ素子Ｆ１〜Ｆ４間のインダクタンス値のばらつきが低減される。
【００３９】
なお、インダクタンス調整用導体Ｌ０の形状は、所望のインダクタンス値を得る上で、上述のような点対称とする以外に、線対称となるように形成することも可能である。
また、インダクタンス調整用導体Ｌ０の形状を、このような対称形にすることにより、導体Ｌ０を形成する際のめっき厚さのばらつきを小さくできるため、この点でも有利である。
【００４０】
なお、方向性識別マーク３は、このノイズフィルタアレイの取り付け方向を識別できるようにするためのもので、ビアホール７を介してコイル導体５に導通されている。なお、この方向性識別マーク３を、コイル導体５と電気的に導通するようにしているのは、方向性識別マーク３のめっき付着性を確保するためである。
【００４１】
上記構成のノイズフィルタアレイを製造するにあたっては、各絶縁シート６上にコイル導体５、コンデンサＣ１２〜Ｃ４２の信号側電極８および接地側電極９、インダクタンス調整用導体Ｌ０、および方向性識別マーク３を、Ａｇ，Ｐｄ，Ｃｕ，Ａｕや、これらの合金などを導電成分とする導電性ペーストを、例えばスクリーン印刷などの手法により塗布して形成する。また、ビアホール７は、レーザビームなどを用いてビアホール用の貫通孔を形成し、この貫通孔内にＡｇ，Ｐｄ，Ｃｕ，Ａｕやこれらの合金などを導電成分とする導電性ペーストを充填することにより形成する。そして、図２に示すように、各導体や電極、ビアホールなどが形成された絶縁シート６を積層し、圧着することにより積層体１を得る。
続いて、この積層体１の側面に入力端子ｉｎ１〜ｉｎ４、出力端子ｏｕｔ１〜ｏｕｔ４、接地端子ＧＮＤ１，ＧＮＤ２となる外部電極２を形成した後、この積層体１を焼成する。そして、各外部電極２の表面にＮｉめっきやＳｎめっきを行う。これにより、図１に示すような構造を有する直方体形状のノイズフィルタアレイが得られる。
【００４２】
上述のように、この実施例１のノイズフィルタアレイは、２共振性のフィルタ素子Ｆ１〜Ｆ４が、共通する一つのインダクタンス調整用導体Ｌ０を備えているので、ノイズフィルタアレイの製造時に、この導体Ｌ０の形状を変えることにより、コンデンサＣ１２〜Ｃ４２とインダクタンス調整用導体Ｌ０による直列共振（２次共振）周波数の調整を容易に行うことができる。
【００４３】
そして、この実施例１のノイズフィルタアレイにおいては、ＬＣ直列共振回路を構成する各コンデンサＣ２２とＣ３２、Ｃ１２とＣ４２の接地側電極９から、ビアホール７、およびインダクタンス調整用導体Ｌ０を経由して各接地端子ＧＮＤ１，ＧＮＤ２に至るまでの距離が、各フィルタ素子Ｆ１〜Ｆ４でいずれも同じになっているため、各フィルタ素子Ｆ１〜Ｆ４間のインダクタンス値のばらつきが低減される。
【００４４】
また、この実施例１のノイズフィルタアレイは、コンデンサＣ１２〜Ｃ４２の接地側電極９を境として、その厚み方向（積層方向）の両側に２つのフィルタ素子Ｆ２，Ｆ３およびＦ１，Ｆ４が分離して配置されているので、その両側のフィルタ素子Ｆ２，Ｆ３とＦ１，Ｆ４間の磁気的影響を少なくすることが可能になるとともに、互いに並列して隣接する各フィルタ素子Ｆ２とＦ３、およびＦ１とＦ４のコイルに発生する磁束分布を略等しくすることが可能になる。これにより、各フィルタ素子Ｆ１〜Ｆ４間のインダクタンス値のばらつきをさらに低減することができる。
【００４５】
図５はインダクタンス調整用導体Ｌ０を挿入した場合と挿入しない場合の挿入損失特性を測定した結果の一例を示す特性図である。
【００４６】
図５に示すように、インダクタンス調整用導体Ｌ０を挿入することにより、各フィルタ素子Ｆ１〜Ｆ４の直列共振（２次共振）周波数を所望の周波数（この例では２ＧＨｚ）に調整することが可能になることが理解される。
【００４７】
図６はこの実施例１のノイズフィルタアレイにおいて、インダクタンス調整用導体Ｌ０を設けて、各フィルタ素子Ｆ１〜Ｆ４についての挿入損失特性を測定した結果を示す特性図である。
【００４８】
図６より、インダクタンス調整用導体Ｌ０を設けることにより、各フィルタ素子Ｆ１〜Ｆ４の挿入損失特性がほぼ同じとなり、各フィルタ素子Ｆ１〜Ｆ４の特性が互いに重なって、１本の実線として表されていることがわかる。これにより、各フィルタ素子間での直列共振（２次共振）周波数の特性に差がないことが理解される。
【実施例２】
【００４９】
図７は本願発明の実施例２にかかるノイズフィルタアレイの分解斜視図である。なお、図７において、図１〜図４と同一符号を付した部分は実施例１の構成と同一または相当する部分を示している。
【００５０】
この実施例２のノイズフィルタアレイは、各フィルタ素子Ｆ１〜Ｆ４のＬＣ直列共振回路を構成する各コンデンサＣ１２〜Ｃ４２で挟まれた位置にあるインダクタンス調整用導体Ｌ０が直線状に形成されている点に特徴がある。
【００５１】
この実施例２のノイズフィルタアレイの場合にも、ＬＣ直列共振回路を構成する各コンデンサＣ２２とＣ３２、Ｃ１２とＣ４２の接地側電極９からビアホール７、およびインダクタンス調整用導体Ｌ０を経由して各接地端子ＧＮＤ１，ＧＮＤ２に至るまでの距離が、各フィルタ素子Ｆ１〜Ｆ４のいずれにおいても同じになるので、各フィルタ素子Ｆ１〜Ｆ４間のインダクタンス値のばらつきが低減される。
その他の構成および作用、効果は、図１〜図４に示した実施例１の場合と同様であるから、重複を避けるため、ここでは詳しい説明は省略する。
【実施例３】
【００５２】
図８は本願発明の実施例３にかかるノイズフィルタアレイの分解斜視図である。なお、図８において、図１〜図４と同一符号を付した部分は実施例１の構成と同一または相当する部分を示している。
【００５３】
上記の実施例１，２では、一枚の絶縁シート６の上にインダクタンス調整用導体Ｌ０を形成しているが、この実施例３では、複数枚（３枚）の絶縁シート６にわたって螺旋状にインダクタンス調整用導体Ｌ０１〜Ｌ０３が形成されており、これらのインダクタンス調整用導体Ｌ０１〜Ｌ０３がビアホール７を介して互いに接続されている。
【００５４】
この実施例３のノイズフィルタアレイの場合も、中央に位置するインダクタンス調整用導体Ｌ０３については、線対称または点対称に形成され、かつ、ビアホール７との接続点は、各接地端子ＧＮＤ１，ＧＮＤ２の対称中心位置になっている。
【００５５】
この実施例３のノイズフィルタアレイの構成によれば、各フィルタ素子Ｆ１〜Ｆ４間の特性ばらつきを低減することができるだけでなく、各フィルタ素子Ｆ１〜Ｆ４のＬＣ直列共振回路のインダクタンス値を大きく設定することができるため、より低周波化することができる。
その他の構成および作用、効果は、図１〜図４に示した実施例１の場合と同様であるから、ここでは詳しい説明は省略する。
【実施例４】
【００５６】
図９は本願発明の実施例４にかかるノイズフィルタアレイの分解斜視図である。なお、図９において、図１〜図４と同一符号を付した部分は実施例１の構成と同一または相当する部分を示している。
【００５７】
上記の実施例１〜３では、インダクタンス調整用導体Ｌ０（実施例１，２），Ｌ０３（実施例３）は、絶縁シート６の左右の端部に引き出されて２つの接地端子ＧＮＤ１，ＧＮＤ２を形成する外部導体２に接続されているが、この実施例４では、インダクタンス調整用導体Ｌ０の一端がビアホール７に、他端が絶縁シート６の片側の端部に引き出されて、１つの接地端子ＧＮＤを形成する外部電極に接続されている。
【００５８】
この実施例４の構成の場合、インダクタンス調整用導体Ｌ０を電解めっきで形成する際に、めっき付着性がいくらか劣るものの、ＬＣ直列共振回路を構成する各コンデンサＣ２２とＣ３２、Ｃ１２とＣ４２の接地側電極９からビアホール７、およびインダクタンス調整用導体Ｌ０を経由して接地端子ＧＮＤに至るまでの距離が、各フィルタ素子Ｆ１〜Ｆ４のいずれにおいても同じになるため、各フィルタ素子Ｆ１〜Ｆ４間のインダクタンス値のばらつきを低減することが可能になる。
その他の構成および作用、効果は、図１〜図４に示した実施例１の場合と同様であるから、重複を避けるため、ここでは詳しい説明は省略する。
【実施例５】
【００５９】
図１０は本願発明の実施例５にかかるノイズフィルタアレイの分解斜視図である。なお、図１０において、図１〜図４と同一符号を付した部分は実施例１の構成と同一または相当する部分を示している。
【００６０】
上記の実施例１〜３では、２つの接地端子ＧＮＤ１，ＧＮＤ２を形成する外部導体２に接続されたインダクタンス調整用導体Ｌ０に対しては、その中央にビアホール７が接続されているが、この実施例５では、ビアホール７が２つ形成されている。そして、インダクタンス調整用導体Ｌ０と各ビアホール７との接続点が、左右の接地端子ＧＮＤ１，ＧＮＤ２の対称中心から等距離だけ離れた位置になるように構成されている。
【００６１】
したがって、この実施例５の場合にも、コンデンサＣ１２〜Ｃ４２の接地側電極９と、インダクタンス調整用導体Ｌ０との電気的接続を確実なものとした上で、各フィルタ素子Ｆ１〜Ｆ４間のインダクタンス値を等しくすることが可能になり、フィルタ特性のばらつきを低減することができる。
その他の構成および作用、効果は、図１〜図４に示した実施例１の場合と同様であるから、重複を避けるため、ここでは詳しい説明は省略する。
【実施例６】
【００６２】
図１１は本願発明の実施例６にかかるノイズフィルタアレイの分解斜視図である。なお、図１１において、図１〜図４と同一符号を付した部分は実施例１の構成と同一または相当する部分を示している。
【００６３】
上記の実施例１〜５では、インダクタンス調整用導体Ｌ０を、接地用のコンデンサＣ１２〜Ｃ４２を構成する上下の接地側電極９で挟まれる位置に設けているが、この実施例６では、これらの接地用のコンデンサＣ１２〜Ｃ４２の各信号側電極８に対して、個別にインダクタンス調整用導体Ｌ１２〜Ｌ４２が設けられており、各信号側電極８とインダクタンス調整用導体Ｌ１２〜Ｌ４２とがビアホール７を介して電気的に接続されている。
【００６４】
この実施例６のように、ＬＣ直列共振回路を構成する接地用のコンデンサＣ１２〜Ｃ４２の各信号側電極８側にもインダクタンス調整用導体Ｌ１２〜Ｌ４２を配置した場合には、各フィルタ素子Ｆ１〜Ｆ４のＬＣ直列共振回路のインダクタンス値を、単一のインダクタンス調整用導体Ｌ０を設けた場合よりも大きく設定することができるため、当該共振回路をより低周波化することができる。また、個々のフィルタ素子Ｆ１〜Ｆ４のインダクタンス値を個別に設定することも可能である。
その他の構成および作用、効果は、図１〜図４に示した実施例１の場合と同様であるから、重複を避けるため、ここでは詳しい説明は省略する。
【実施例７】
【００６５】
図１２は本願発明の実施例７にかかるノイズフィルタアレイの分解斜視図である。なお、図１２において、図１〜図４と同一符号を付した部分は実施例１の構成と同一または相当する部分を示している。
【００６６】
上記の実施例１〜６では、インダクタンス調整用導体Ｌ０を境として、その厚み方向（積層方向）の両側に２つのフィルタ素子Ｆ２，Ｆ３、およびＦ１，Ｆ４を配置しているが、この実施例７のノイズフィルタアレイにおいては、各フィルタ素子Ｆ１〜Ｆ４が、インダクタンス調整用導体Ｌ０の片側、図１２では、インダクタンス調整用導体Ｌ０が配設された層よりも積層方向の上側にのみ設けられている。すなわち、各フィルタ素子Ｆ１〜Ｆ４が部品の厚み方向と直交する方向に沿って互いに並列に配置されている。
【００６７】
この実施例７のノイズフィルタアレイにおいては、各フィルタ素子Ｆ１〜Ｆ４が全て並列に配置されているので、各フィルタ素子Ｆ１〜Ｆ４のコイルＬ１１〜Ｌ４１に発生する磁束分布がいくらか異なることになり、各フィルタ素子Ｆ１〜Ｆ４間のインダクタンス値のばらつきが生じ易くなるものの、複数のフィルタ素子Ｆ１〜Ｆ４がインダクタンス調整用導体Ｌ０の片側にのみ設けられているので、実施例１〜６の場合よりも部品の厚みを薄くすることができるという特徴を有している。
その他の構成および作用、効果は、図１〜図４に示した実施例１の場合と同様であるから、重複を避けるため、ここでは詳しい説明は省略する。
【００６８】
なお、上記実施例１〜７では、図１に示すような個別部品を個々に生産する場合について説明したが、量産する場合には、複数の積層体が一体化されたマザー積層体の状態で製造した後、図１に示す積層体１が得られるようにマザー積層体を切断して、個別部品を得るようにすることも可能である。
【００６９】
また、上記実施例１〜７では、コイル導体５、信号側電極８，接地側電極９、ビアホール７などを設けた絶縁シート６を積層した後に、一体焼成する場合について説明したが、絶縁シート６は予め焼成されたものを使用し、その後、各絶縁シート６を積層して圧着することにより積層体１を得ることも可能である。
【００７０】
さらには、印刷などの手法により、ペースト状の絶縁性材料を塗布して絶縁層を形成した後、その絶縁層の上からペースト状の導電性材料を塗布してコイル導体導体５や信号側電極８，接地側電極９を形成するとともに、その際に、必要に応じてビアホール７を形成し、次にその上からペースト状の絶縁性材料を塗布して絶縁層を形成するというように、絶縁性材料の塗布による絶縁層の形成と導電性材料の塗布による導体の形成とを順次繰り返して重ね塗りすることにより、積層構造のノイズフィルタアレイを製造することも可能である。
【００７１】
また、上記実施例１〜７では、４つのフィルタ素子Ｆ１〜Ｆ４を備えたノイズフィルタアレイについて説明したが、本願発明は、フィルタ素子の数に特別な制約はなく、複数のフィルタ素子を備えたノイズフィルタアレイに広く適用することが可能である。
【００７２】
また、上記実施例１〜７のノイズフィルタアレイは、各フィルタ素子Ｆ１〜Ｆ４がＬＣ並列共振回路とＬＣ直列共振回路とから構成されているが、本願発明はこれに限らず、例えばπ型やＴ型といったラダー型のフィルタ素子の複数個をアレイ状に並設されて一体形成されてなるノイズフィルタアレイについても適用することが可能である。
【００７３】
本願発明はさらにその他の点においても上記実施例に限定されるものではなく、その趣旨を逸脱しない範囲内において種々の応用、変形を加えることが可能である。
【産業上の利用可能性】
【００７４】
本願発明によれば、簡素な構成で、複数のフィルタ素子相互間の特性ばらつきの少ないノイズフィルタアレイを得ることが可能になる。
したがって、本願発明のノイズフィルタアレイは、例えば、一台で複数の通信帯域を使用する携帯電話における、各通信帯域でのノイズを除去するためのノイズフィルタなどの用途に広く利用することが可能である。
【図面の簡単な説明】
【００７５】
【図１】本願発明の実施例１にかかるノイズフィルタアレイの外観を示す斜視図である。
【図２】本願発明の実施例１にかかるノイズフィルタアレイの分解斜視図である。
【図３】本願発明の実施例１にかかるノイズフィルタアレイの電気等価回路図である。
【図４】図３の電気等価回路図を図２の分解斜視図に対応するように配置し直して示す電気等価回路図である。
【図５】実施例１の構成のノイズフィルタアレイに関し、インダクタンス調整用導体を挿入した場合と挿入しない場合の挿入損失特性を測定した結果の一例を示す特性図である。
【図６】実施例１の構成のノイズフィルタアレイに関し、インダクタンス調整用導体を設けて各フィルタ素子についての挿入損失特性を測定した結果を示す特性図である。
【図７】本願発明の実施例２にかかるノイズフィルタアレイの分解斜視図である。
【図８】本願発明の実施例３にかかるノイズフィルタアレイの分解斜視図である。
【図９】本願発明の実施例４にかかるノイズフィルタアレイの分解斜視図である。
【図１０】本願発明の実施例５にかかるノイズフィルタアレイの分解斜視図である。
【図１１】本願発明の実施例６にかかるノイズフィルタアレイの分解斜視図である。
【図１２】本願発明の実施例７にかかるノイズフィルタアレイの分解斜視図である。
【図１３】従来の、ＬＣ並列共振回路とＬＣ直列共振回路とからなる２共振性のフィルタ素子の電気等価回路図である。
【図１４】従来の、４つの２共振性のフィルタ素子をアレイ状に配列した場合の一例を示す電気等価回路図である。
【図１５】図１４に示す構成を簡素化するために、コンデンサとコイルを共通化した場合に得られるノイズフィルタアレイを示す電気等価回路図である。
【符号の説明】
【００７６】
ｉｎ１〜ｉｎ４          入力端子
ｏｕｔ１〜ｏｕｔ４      出力端子
ＧＮＤ，ＧＮＤ１，ＧＮＤ２      接地端子
Ｆ１〜Ｆ４              フィルタ素子
ＰＲ１〜ＰＲ４          ＬＣ並列共振回路
Ｌ１１〜Ｌ４１          コイル
Ｃ１１〜Ｃ４１          浮遊コンデンサ
Ｌ０                    インダクタンス調整用導体
Ｌ０１〜Ｌ０３          インダクタンス調整用導体
Ｌ１２〜Ｌ４２          インダクタンス調整用導体
Ｃ１２〜Ｃ４２          コンデンサ
１                      積層体
２                      外部電極
３                      方向性識別マーク
５                      コイル導体
６                      絶縁シート
７                      ビアホール
８                      信号側電極
９                      接地側電極
【図１】
2008035122.tif 000003
【図２】
2008035122.tif 000004
【図３】
2008035122.tif 000005
【図４】
2008035122.tif 000006
【図５】
2008035122.tif 000007
【図６】
2008035122.tif 000008
【図７】
2008035122.tif 000009
【図８】
2008035122.tif 000010
【図９】
2008035122.tif 000011
【図１０】
2008035122.tif 000012
【図１１】
2008035122.tif 000013
【図１２】
2008035122.tif 000014
【図１３】
2008035122.tif 000015
【図１４】
2008035122.tif 000016
【図１５】
2008035122.tif 000017